(57)【要約】【課題】長秒時撮影の際のＣＣＤノイズの低減を図ることができる電子カメラの提供。【解決手段】ＣＣＤ２１４を含む所定領域内の温度を温度センサ４４２で検出し、温度センサ４４２の検出温度が所定温度以上のときには、バックライト４４１を消灯して液晶ディスプレイ３をオフする。それによって、バックライト４４１の発熱およびバックライト４４１に電力を供給している電池の発熱を抑えることができる。その結果、ＣＣＤ２１４の温度が低下してＣＣＤノイズが低減される。ノイズ低減方法としては、バックライト４４１を消灯する以外に、絞り値を小さくしてシャッタ秒時を短くする方法や、ＣＣＤ２１４のゲインを下げる等の方法があり、これらを組み合わせて適用しても良い。【選択図】　　　　図２
2004096328.tif 000002
【特許請求の範囲】
【請求項１】
被写体像を撮像して画像信号を出力する撮像素子と、
シャッタ秒時が所定時間以上のときに、前記撮像素子のノイズを低減するようにカメラ構成要素の少なくとも一つを制御する制御回路とを備えることを特徴とする電子カメラ。
【請求項２】
請求項１に記載の電子カメラにおいて、
前記カメラ構成要素は撮像された画像を表示する表示モニタであり、前記撮像素子を含む所定領域内の温度を検出する温度センサを備え、前記温度センサで検出された温度が所定温度以上のときに前記表示モニタをオフすることを特徴とする電子カメラ。
【請求項３】
請求項２に記載の電子カメラにおいて、
前記シャッタ秒時に応じて前記所定温度を変えることを特徴とする電子カメラ。
【請求項４】
請求項１に記載の電子カメラにおいて、
前記撮像素子を含む所定領域内の温度を検出する温度センサと、
露光量を設定する設定手段と、
前記温度センサで検出された温度が所定温度以上のときに、前記設定手段で設定された露光量を変更することなく絞り値を小さくするとともにシャッタ秒時を短くする露出制御手段とを備えることを特徴とする電子カメラ。
【請求項５】
請求項１に記載の電子カメラにおいて、
前記撮像素子を含む所定領域内の温度を検出する温度センサを備え、前記温度センサで検出された温度が所定温度以上のときに、前記撮像素子のゲインを下げるとともに絞りを大きくすることを特徴とする電子カメラ。
【発明の詳細な説明】
【０００１】
【発明の属する技術分野】
本発明は、撮像素子により被写体像を撮像する電子カメラに関する。
【０００２】
【従来の技術】
電子カメラの撮像素子には、一般的にＣＣＤ（Ｃｈａｒｇｅｄ　Ｃｏｕｐｌｅｄ　Ｄｅｖａｉｃｅ）が用いられている。ＣＣＤは、照射された光学像の光の強弱を、その強弱に応じた電気信号に変換する光電変換デバイスの一つである。ＣＣＤから出力された画像信号は、デジタル信号に変換された後に画像処理が施され、カメラに設けられた記録媒体（例えば、メモリカード）に記録される。
【０００３】
【発明が解決しようとする課題】
ところで、被写体輝度の低い夜景撮影や天体撮影等では、十分な露光量が得られるようにシャッタ秒時の長い長秒時撮影が行われる。しかしながら、このような長秒時撮影ではＣＣＤノイズが蓄積され、ノイズによる画質劣化が目立つようになるという問題があった。ＣＣＤのノイズとしては、例えば暗電流によるノイズがあるが、このノイズは熱励起による正孔−電子対の発生に起因しており、温度依存性が強い。電子カメラには画像表示用の液晶モニタを備えているものが多く、バックライトの発熱や電池の発熱によりカメラ内部温度が上昇するとノイズの影響が顕著となる。
【０００４】
本発明の目的は、長秒時撮影の際のＣＣＤノイズの低減を図ることができる電子カメラを提供することにある。
【０００５】
【課題を解決するための手段】
発明の実施の形態を示す図１に対応付けて説明すると、
（１）請求項１の発明による電子カメラは、被写体像を撮像して画像信号を出力する撮像素子２１４と、シャッタ秒時が所定時間以上のときに、撮像素子２１４のノイズを低減するようにカメラ構成要素４５３，４５４，３の少なくとも一つを制御する制御回路４３９とを備えて上述の目的を達成する。
（２）請求項２の発明は、請求項１に記載の電子カメラにおいて、カメラ構成要素は撮像された画像を表示する表示モニタ３であり、撮像素子２１４を含む所定領域内の温度を検出する温度センサ４４２を備え、温度センサ４４２で検出された温度が所定温度以上のときに表示モニタ３をオフするようにしたものである。
（３）図７に対応付けて説明すると、請求項３は、請求項２に記載の電子カメラにおいて、シャッタ秒時ｔに応じて所定温度Ｔ０を変えるようにしたものである。
（４）請求項４の発明は、請求項１に記載の電子カメラにおいて、撮像素子２１４を含む所定領域内の温度を検出する温度センサ４４２と、露光量を設定する設定手段４３９と、温度センサ４４２で検出された温度が所定温度以上のときに、設定手段４３９で設定された露光量を変更することなく絞り値を小さくするとともにシャッタ秒時を短くする露出制御手段４３９とを設けたものである。
（５）請求項５の発明は、請求項１に記載の電子カメラにおいて、撮像素子２１４を含む所定領域内の温度を検出する温度センサ４４２を備え、温度センサ４４２で検出された温度が所定温度以上のときに、撮像素子２１４のゲインを下げるとともに絞りを大きくするようにしたものである。
【０００６】
なお、上記課題を解決するための手段の項では、本発明を分かり易くするために発明の実施の形態の図を用いたが、これにより本発明が発明の実施の形態に限定されるものではない。
【０００７】
【発明の実施の形態】
以下、図１〜図６を参照して本発明の実施の形態を説明する。図１は本発明による電子カメラの一実施の形態を示す図であり、（ａ）は電子カメラを上方から見た平面図、（ｂ）はカメラを後方から見た背面図である。図１（ａ）に示すように、電子カメラ１の上面には、電源のオン／オフ操作を行うメインスイッチ４と、レリーズボタン５と、記録モードと再生モードとの切換操作を行うコマンドダイヤル６と、カメラ情報を表示する表示パネル７とが設けられている。ここで、記録モードとは被写体像を撮影し、その画像データを記録することができるモードであり、再生モードとは記録した画像データを読み出してカメラ背面に設けられた液晶ディスプレイ３（図１（ｂ）参照）に再生表示するモードである。
【０００８】
また、図１（ｂ）に示すように、カメラ背面には、画像表示用の液晶ディスプレイ３の他に、ファインダー接眼窓８、撮影光学系２をズーム操作するためのズーム切換えボタン９や各種操作ボタンが設けられている。ズーム切換ボタン９は、そのＷ側が押し込まれると撮影光学系２が広角側に駆動され、Ｔ側が押し込まれると望遠側に駆動される。記録モード時には後述するＣＣＤ２１４により撮像された被写体像が液晶ディスプレイ３に逐次表示され、再生モードでは後述する記録媒体４２４に記憶されている画像のサムネイル表示や個々の画像の再生表示などが液晶ディスプレイ３により行われる。
【０００９】
１０は液晶ディスプレイ３に設定メニューを表示させるためのメニューボタンであり、各種設定を行う際に設定メニューを表示させて選択ボタン１１ａ〜１１ｄにより設定すべき項目を選択する。例えば、電子カメラ１は撮影シーンに応じて最適な撮影ができる撮影モードを複数備えており、液晶ディスプレイ３に撮影モードのメニューを表示させると夜景モード、ポートレートモード、風景モードなどの撮影モードの種類が表示される。また、露出モードの設定等も同様に行われる。１２は液晶ディスプレイ３の表示をオン・オフするためのモニタオンオフボタンである。１３は、閃光装置に関する設定、例えば強制発光や発光禁止等の設定を行うための閃光モードボタンである。
【００１０】
図２は図１に示した電子カメラの回路ブロック図であり、メインスイッチ４をオンにすると電子カメラ１の電源がオンとなり、ＣＰＵ４３９によってＲＯＭ４４３に記憶されている制御プログラムが起動される。コマンドダイヤル６により記録モードに設定されると電子カメラ１は撮影可能となり、一方、再生モードに設定されると、メモリカード４２４に記録されている画像データに基づく画像を表示ＬＣＤ４４７に再生表示することができる。なお、記録モード時には、ＣＣＤ２１４からの撮像信号に基づく画像が図１の液晶ディスプレイ３に表示される。４４１はＬＣＤを照明するバックライトであり、図１の液晶ディスプレイ３はＬＣＤ４４７およびバックライト４４１により構成される。
【００１１】
撮影光学系２は複数のレンズ２０１〜２０４を有し、レンズ２０３とレンズ２０４との間にはシャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４０８、４１５により駆動される。絞り板２１５には開口面積の異なる複数の絞り開口部が設けられており、ステップモータ４１５で絞り板２１５を回転させて任意の１つの絞り開口部を光軸上に配設する。
【００１２】
シャッタ板２０８にはレンズ２０３を通過した全ての光束を遮光する完全遮光部と、全ての光束を通過させる開口部とが設けられており、露光時にはシャッタ板２０８の開口部が光路上にセットされ、露光終了とともに完全遮光部が光路上にセットされる。４５３はステップモータ４１５を駆動制御する絞り駆動回路であり、４５４はステップモータ４０８を駆動制御するシャッタ駆動回路である。撮影の際には、まず、ＣＣＤ２１４に蓄積されている電荷が排出されるとともに、絞り板２１５の所定の開口部が光路上にセットされる。ＣＣＤ２１４が所定時間露光されると電荷が再び蓄積されるが、上記電荷の排出から再びシャッタ板２０８の完全遮光部で光路が遮光されるまでの時間が露光時間に対応している。
【００１３】
撮影光学系２の焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。
【００１４】
ＣＣＤ２１４の撮像面上に被写体像が結像されると、被写体像の光の強弱に応じた信号電荷が蓄積される。ＣＣＤ２１４にはデジタルシグナルプロセッサ（以下、ＤＳＰと呼ぶ）４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００１５】
画像処理部４３１はノイズ除去回路や直流再生回路などを有しており、ＣＣＤ２１４から出力された画像信号に対してノイズ除去、ゲインコントロールなどのアナログ処理を施した後に、アナログ／デジタル変換回路（以下、Ａ／Ｄ変換回路と呼ぶ）４３２に出力する。Ａ／Ｄ変換回路４３２は画像処理部４３１から出力された画像信号をデジタル信号に変換し、変換後の画像データを上述したＤＳＰ４３３へ出力する。
【００１６】
ＤＳＰ４３３では、Ａ／Ｄ変換回路４３２から出力された画像データに対して輪郭補償やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させた後に、バッファメモリ４３６から画像データを読出し、所定の圧縮形式（例えば、ＪＰＥＧ方式）でデータ圧縮してメモリカード４２４に記録させる。
【００１７】
また、ＤＳＰ４３３は、ＣＣＤ２１４で撮像され上記画像処理が行われた後の画像データやメモリカード４２４から読み出され伸張された画像データをフレームメモリ４３５に記憶させ、それらの画像データに基づく画像を電子カメラ１に設けられた表示ＬＣＤ４４７に表示させる。さらに、ＤＳＰ４３３は、上述した画像データのメモリカード４２４への記録、および伸張後の撮影画像データのバッファメモリ４３６への記録などにおけるデータ入出力のタイミング管理も行う。
【００１８】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力するとともに、後述するモニタオンオフ制御の際のタイマとしても用いられる。このタイムデータは、上述した画像データとともにメモリカード４２４に記録される。
【００１９】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インターフェース４４８は所定の外部装置（不図示）を接続して、ＣＰＵ４３９および接続した外部装置との間でデータの送受を行うように設けられている。４４０は、撮影動作における設定内容が表示される表示パネル７を制御する表示回路である。４４２はＣＣＤまたはその周辺の温度を検出するための温度センサであり、例えばサーミスタなどが用いられる。
【００２０】
《記録モードについて》
次に、記録モード時の動作について説明する。電子カメラで撮影を行う場合には、コマンドダイヤル６を記録モードに設定してメインスイッチ４をオンとするか、メインスイッチ４をオンとした後にコマンドダイヤル６を記録モードに設定する。ＣＣＤ２１４から出力された画像信号は、画像処理部４３１でノイズ除去やゲインコントロールなどのアナログ処理が施された後に、Ａ／Ｄ変換回路４３２によりデジタル信号に変換される。デジタル変換された信号は上述したＤＳＰ４３３に導かれ、そこで輪郭補償、ガンマ補正等の画像前処理が行われて一旦バッファメモリ４３６に格納される。
【００２１】
その後、ＣＰＵ４３９とバッファメモリ４３６との間で画像データの授受を行って画像データからホワイトバランス調整値を求め、この調整値に基づいてＤＳＰ４３３でホワイトバランス調整が行われる。ホワイトバランス調整後の画像データは、再びバッファメモリ４３６へ格納される。バッファメモリ４３６に格納された画像データは、ＤＳＰ４３３において表示ＬＣＤ４４７に表示するための画像データに処理される。処理された画像データはフレームメモリ４３５に書き込まれ、スルー画像と呼ばれる撮影モニタ画像として表示ＬＣＤ４４７に表示される。このスルー画像は、以上の動作が繰り返し行われることにより、撮影光学系２に入射される被写体光に基づいて所定の間隔で逐次更新される。
【００２２】
レリーズボタン５の半押しにより不図示の半押しスイッチがオンとされると、画像データのコントラストに基づいて撮影光学系２の焦点調節状態が検出され、ピントの合った被写体像がＣＣＤ２１４上に結像されるようにレンズ駆動回路４３０による焦点調節動作が行われる。また、レリーズボタン５が半押しされると、ＣＰＵ４３９により画像データから被写体の輝度が検出され、検出された輝度に基づいた露出演算が行われる。
【００２３】
レリーズボタン５の半押しに続いて、さらにレリーズボタン５が全押しされると不図示の全押しスイッチがオンとなる。その結果、ＣＣＤ２１４に蓄積されている信号電荷が一旦吐き出された後に、シャッタ板２０８と絞り板２１５とが露出演算の結果に基づいて駆動され、ＣＣＤ２１４による撮像が行われる。なお、この撮影の際には、露出演算結果と閃光モードボタン１３（図１）による設定とに応じて、閃光装置４４６が発光される場合もある。
【００２４】
この撮像によりＣＣＤ２１４から出力された画像信号は、上述した一連の処理が施されバッファメモリ４３６に格納される。バッファメモリ４３６に格納された画像データは、ＤＳＰ４３３において表示ＬＣＤ４４７に表示するための画像データに処理された後にフレームメモリ４３５に書き込まれ、フリーズ画像と呼ばれる撮影画像が表示ＬＣＤ４４７に表示される。このような画像前処理が行なわれた画像データは、さらにＤＳＰ４３３によりデータ圧縮が行われ、ＣＰＵ４３９により所定のデータ名を付与されてタイマ４４５からのタイム情報とともに、フラッシュメモリ等の記録媒体（ＰＣカード、コンパクトフラッシュ（登録商標）カードなど）４２４に記録される。
【００２５】
《長秒時撮影におけるＣＣＤノイズ低減方法》
次に、長秒時撮影の際のＣＣＤノイズ低減方法について説明する。このノイズはＣＣＤ２１４の温度上昇とともに大きく増加することが知られており、本実施の形態では温度センサ４４２で検出されるカメラ内部温度が所定温度Ｔ０以上、例えば５０℃以上となったときにノイズ低減機能が動作する。
【００２６】
図３は、ノイズ低減処理の手順を示すフローチャートであり、コマンドダイヤル６により記録モードに設定されると処理がスタートする。ステップＳ１では記録モードか否かを判定し、ＹＥＳと判定されるとステップＳ２へ進み、再生モードに切り換えられてＮＯと判定されると図３の処理を終了する。ステップＳ２では撮影モードが夜景モードに設定されているか否かを判定し、ＹＥＳと判定されるとステップＳ１３へ進み、ＮＯと判定されるとステップＳ３へ進む。
【００２７】
ステップＳ２からステップＳ１３へ進んだ場合には、夜景モードとして設定されている絞り値およびシャッタスピードに対して、露出値を維持しつつ絞り値を小さくするとともにシャッタスピードを短くする。ステップＳ１３の処理が終了したならばステップＳ７へと進む。
【００２８】
一方、ステップＳ２からステップＳ３へ進んだ場合には、ステップＳ３において、ＣＣＤ２１４から出力される画像信号に基づいて被写体の輝度を算出し、その輝度に基づいて最適露出値の演算が行われる。ステップＳ４では、ステップＳ３で算出された最適露出値に基づいて絞り値およびシャッタスピードが算出される。例えば、露出モードがプログラムＡＥモードの場合、図４に示すようなプログラム線図Ｌ１に基づいて絞り値およびシャッタスピードが決定される。図４に示す例では、ＥＶ値＝Ｅ０を表す直線Ｌ２とＬ１との交点Ｐ１における絞り値ｆａ１およびシャッタスピードｔｓ１に設定される。
【００２９】
ステップＳ５では、シャッタスピードｔｓ１が予め定められた時間ｔ０以上か否かを判定し、ＹＥＳと判定されるとステップＳ６へ進み、ＮＯと判定されるとステップＳ１４へ進む。ここで、時間ｔ０は撮影が長秒時撮影か否かを決める基準時間であり、例えば、ｔ０＝１（ｓｅｃ）のように設定される。ステップＳ５で長秒時撮影と判定されてステップＳ６へ進んだ場合には、絞り値およびシャッタスピードの決定に用いるプログラム線図を図４に示した通常設定Ｌ１から長秒時撮影時に適用されるＬ３に設定変更する。一方、ステップＳ５からステップＳ１４へ進んだ場合には、ステップＳ１４においてプログラム線図の設定をＬ１にリセットした後に、ステップＳ１５でバックライト４４１をオン状態にしてステップＳ９へ進む。
【００３０】
図４に示すように、ＥＶ値Ｅ０の直線Ｌ２とプログラム線図Ｌ３とはＰ２で交わり、この場合は絞り値ｆａ２およびシャッタスピードｔｓ２に設定される。これをプログラム線図Ｌ１の場合と比較すると、絞り値はｆａ２＞ｆａ１とより小さく設定され、シャッタスピードはｔｓ１＞ｔｓ２のようにより短く設定される。その結果、Ｌ３を用いて撮影した場合にはＣＣＤ２１４の電荷蓄積時間が短くなり、ノイズが低減されることになる。なお、プログラム線図Ｌ１，Ｌ３は予めＲＯＭ４４３に記憶されている。
【００３１】
ステップＳ７では、温度センサ４４２で検出された温度Ｔが所定温度Ｔ０以上か否かを判定し、ＹＥＳと判定されるとステップＳ８へ進んで表示ＬＣＤ４４７のバックライト４４１をオフ状態とし、ＮＯと判定されるとステップＳ１５へ進みバックライト４４１をオン状態にする。ここで、温度Ｔ０はＣＣＤ２１４のノイズが目立ち出す温度であり、例えばＴ０＝５０℃のように予め設定され、ＲＯＭ４４３に記憶されている。すなわち、温度センサ４４２で検出されるカメラ内温度が上昇してＴ０以上となるとバックライト４４１が消灯されるので、バックライト４４１の発熱が無くなるとともに、バックライト４４１に電力を供給している電池（不図示）の消費電力が低下して電池発熱も低減される。その結果、カメラ内温度の上昇が防止されノイズの増加を防止することができる。
【００３２】
ステップＳ９からステップＳ１２までは撮影処理の手順を示す部分であり、ステップＳ９ではレリーズボタン５が半押しされたか否かを判定する。ステップＳ９でＹＥＳと判定されるとステップＳ１０へ進み、ＮＯと判定されるとステップＳ２へ戻る。ステップＳ１０では撮影光学系２の焦点調節動作、最適露出値に基づく絞り値およびシャッタスピードの設定など撮影準備動作が行われる。なお、ここでの絞り値およびシャッタスピードの設定は、夜景モードの場合にはステップＳ１３における設定であり、プログラムＡＥの場合にはステップＳ６におけるプログラム線図Ｌ３またはステップＳ１４におけるプログラム線図Ｌ１を用いて設定される。
【００３３】
次いで、ステップＳ１１では、レリーズボタン５が全押しされたか否かを判定し、ＹＥＳと判定されるとステップＳ１２へ進み、ＮＯと判定されるとステップＳ９へ戻る。ステップＳ１１からステップＳ１３に進んだ場合には、ステップＳ１３で撮影動作を行った後にステップＳ２へ戻る。
【００３４】
図３のフローチャートで示した処理では、ノイズ低減対策の第１段階として、シャッタ秒時が予め定められた所定時間ｔ０より長くなる場合には、絞りを開くとともにシャッタスピードを短くし、ＣＣＤ２１４の電荷蓄積時間を短くすることによりノイズの低減を図っている。そして、カメラ内部温度が所定温度より高くなって、第１段階の対策だけでは温度上昇によるノイズ増加を抑えきれなくなった場合には、第２段階としてバックライト４４１を消灯し、バックライト４４１の発熱および電池発熱を抑えてノイズ増加の防止を図るようにしている。
【００３５】
なお、上述した第１段階の対策としては、上述したシャッタスピードを短くする以外に、ＣＣＤ２１４のゲイン、すなわち感度を落としてノイズレベルを下げるようにしても良い。また、図３のステップＳ３〜ステップＳ６、ステップＳ１３，ステップＳ１４を省略して、すなわちシャッタスピードを短くする第１段階を省略して、第２段階のバックライト消灯だけでも良い。
【００３６】
さらにまた、夜景モードのときにはバックライト４４１を常に消灯して、モニタオン操作やズーム操作や半押し操作されたときにバックライト４４１を所定時間だけ点灯するようにしても良い。図５および図６は、そのような処理動作の一例を示すフローチャートである。なお、図５，６に示すフローチャートにおいて、図３の各ステップと同一処理を行うステップには同一符号を付し、以下では図３と異なる部分を中心に説明する。
【００３７】
図５のフローチャートでは、ステップＳ２で夜景モードと判定されてステップＳ１３へ進んだ場合には、ステップＳ１３の処理を終了したならばステップＳ２０へ進む。ステップＳ２０ではモニタオンやズーム等の操作が行われたか否かを判定し、ＹＥＳと判定されるとステップＳ２１へ進んでバックライト４４１を消灯するとともにタイマ４４５をスタートする。一方、ステップＳ２０でＮＯと判定されると、ステップＳ２１をスキップして図６のステップＳ９へ進む。
【００３８】
ステップＳ９でレリーズボタン５が半押しされたと判定されると、ステップＳ２２へ進んでバックライト４４１を点灯し、続くステップＳ１０で撮影準備動作を行う。一方、ステップＳ９において半押しされていないと判定されると、ステップＳ２３へ進む。ステップＳ２３では、タイマ４４５がタイムアップしたか否かが判定される。ステップＳ２３においてＹＥＳと判定されると、ステップＳ２４へ進んでバックライト４４１を消灯した後に図５のステップＳ２へ戻り、ＮＯと判定されるとステップＳ２４をスキップしてステップＳ２へ戻る。
【００３９】
なお、上述した実施の形態では、温度Ｔ０は一定の温度としたが、図７に示すように撮影秒時に応じて変更するようにしても良い。このように制御すると、カメラ内温度が極端に上昇する前からモニタオフ制御が行われることになり、ＣＣＤ２１４の温度上昇が抑制されノイズ低減効果を向上させることができる。また、撮影光学２の駆動部部分に温度検出用センサが設けられる場合があるが、温度センサ４４２を設ける代わりに駆動部部分の温度センサを兼用するようにしても良い。さらに、カメラ内温度を温度センサ４４２で検出する代わりに、バックライト点灯時間とカメラ内温度との関係を示すテーブルをＲＯＭ４４３に記憶しておき、バックライト点灯時間から温度を求めるようにしても良い。
【００４０】
以上説明した実施の形態と特許請求の範囲の要素との対応において、ＣＣＤ２１４は撮像素子を、絞り駆動回路４５３，シャッタ駆動回路４５４および液晶ディスプレイ３はカメラ構成要素を、ＣＰＵ４３９は制御回路，設定手段および露出制御手段をそれぞれ構成する。
【００４１】
【発明の効果】
以上説明したように、本発明によれば、シャッタ秒時が所定時間以上となったときには、撮像素子のノイズが低減されるように絞り値やシャッタ秒時や表示モニタが制御され、長秒時撮影であってもノイズ低減を図ることができる。
請求項２の発明では、温度センサの検出温度が所定温度以上のときに表示モニタをオフし、撮像素子の温度上昇を抑えることによりノイズ低減が図れる。このとき、請求項３の発明のようにシャッタ秒時に応じて前記所定温度を変えることにより、温度上昇抑制効果を向上させることができる。
また、検出温度が所定温度以上のときに、請求項４の発明ではシャッタ秒時を短くすることによりノイズ低減が図られ、請求項５の発明では撮像素子のゲインを下げることによってノイズ低減が図られる。
【図面の簡単な説明】
【図１】本発明による電子カメラの一実施の形態を示す図であり、（ａ）は電子カメラの平面図、（ｂ）は背面図である。
【図２】図１に示した電子カメラの回路ブロック図である。
【図３】ノイズ低減処理の手順を示すフローチャートである。
【図４】プログラム線図を示す図である。
【図５】ノイズ低減処理の他の例を示すフローチャートである。
【図６】図５に示す処理に続く一連の処理を示すフローチャートである。
【図７】撮影秒時と温度Ｔ０との関係を示す図である。
【符号の説明】
１　電子カメラ
２　撮影光学系
３　液晶ディスプレイ
４　メインスイッチ
５　レリーズボタン
６　コマンドダイヤル
９　ズーム切換ボタン
１０　メニューボタン
１２　モニタオンオフボタン
２０８　シャッタ板
２１４　ＣＣＤ
２１５　絞り板
４３９　ＣＰＵ
４４１　ＬＣＤ用バックライト
４４２　温度センサ
４４７　表示ＬＣＤ
【図１】
2004096328.tif 000003
【図２】
2004096328.tif 000004
【図３】
2004096328.tif 000005
【図４】
2004096328.tif 000006
【図５】
2004096328.tif 000007
【図６】
2004096328.tif 000008
【図７】
2004096328.tif 000009